(57)【要約】【課題】フェライトコアは、電子機器の据え付けの際に、該電子機器を購入したユーザ自身によって取り付けられる場合が多い。そのため、従来よりフェライトコアの取り付け位置は、電子機器の製造業者側が所望する位置とは異なる位置に取り付けられる場合があったので、この場合にフェライトコアによるノイズ低減効果が十分に期待できない場合が多かった。【解決手段】電子機器１０の筐体の外部面にはノイズ低減部材の一例であるフェライトコア１が設けられている。このフェライトコア１の内部は、図１に示すように、該フェライトコア１を貫通する中空部８を有しており、該中空部８に配線１００が通されている。【選択図】      図１
2004288919.tif 000002
【特許請求の範囲】
【請求項１】
電源用配線若しくは通信用配線等の配線が接続される電子機器において、
当該電子機器の筐体の外部面に、上記配線を伝導するノイズを低減するためのノイズ低減部材を取り付けたことを特徴とする電子機器。
【請求項２】
前記ノイズ低減部材を、前記筐体外部面の配線の接続口近傍に取り付けてなる請求項１記載の電子機器。
【請求項３】
前記ノイズ低減部材は、その本体を貫通する中空部を有してなる請求項１、又は請求項２のいずれかに記載の電子機器。
【請求項４】
前記ノイズ低減部材の本体は、分割されてなり、一方を他方に対して開閉自在に構成してなる請求項１から請求項３のいずれかに記載の電子機器。
【請求項５】
前記ノイズ低減部材の本体は、分割されてなり、一方を他方に対して着脱自在に構成してなる請求項１から請求項３のいずれかに記載の電子機器。
【発明の詳細な説明】
【０００１】
【発明の属する技術分野】
本発明は、配線に接続される電子機器に関するものである。
【０００２】
【従来の技術】
従来より、パーソナルコンピュータ（以下、「ＰＣ」とする）、ファクシミリ（以下、「ＦＡＸ」とする）、電話、画像処理装置（デジタル複合機、コピー機、スキャナ、プリンタ等）、モニター等の電子機器等に接続される電源用配線若しくは通信用配線等の配線に、該配線上を伝導するノイズを低減するためのノイズ低減部材の一例としてフェライトコア等の磁性体が設けられる場合がある。
これは、配線にフェライトコアが設けられた場合に配線のインピーダンスが変化する現象を利用して、該配線で伝導する雑音（ノイズ）帯域のインピーダンスを高めることによって該ノイズ成分を低減させるために行われる。
一般的には、上記フェライトコアは、配線の端部に設けられる場合が多い。
これにより、例えば、配線の端部以外の部分で混入したノイズは、機器と接続される配線の端部側に設けられるフェライトコアによって該ノイズ成分が低減されるので、該ノイズが機器内に流入することを防止することが可能となる。
また逆に、機器内部側で混入したノイズが配線を介して外部へ流出する際に、該配線の端部に設けられるフェライトコアによって該ノイズが同様に低減されるので、該ノイズが外部に流出することはない。
このようなフェライトコアの利用技術の一例としては下記特許文献１があるが、下記文献に限らずフェライトコアの利用技術は多岐に渡る。
【０００３】
【特許文献１】
特開平８−２９８４８９号公報
【０００４】
【発明が解決しようとする課題】
ところで、一般的に、上記フェライトコアは、電子機器の据え付けの際に該電子機器を購入したユーザ自身によって取り付けられる場合が多い。
そのため、従来よりフェライトコアの取り付け位置は、電子機器の製造業者側が所望する位置とは異なる場合が多く、この場合にフェライトコアによるノイズ低減効果が十分に期待できない場合が多かった。
また、電子機器に接続される配線の端部にフェライトコアを設けても、配線経路がユーザによって適当に決められるため、その配線経路によっては配線自体が外来ノイズを拾い易い形状になってしまい、結局フェライトコアによるノイズ低減効果を期待できない場合があった。
そこで、本発明は上記事情に鑑みてなされたものであり、その目的とするところは、配線上において最もノイズ低減効果を発揮する位置にフェライトコアを設け、しかも配線経路としては該配線が外来ノイズを拾いにくい形状となるような電子機器を提供することである。
【０００５】
【課題を解決するための手段】
【０００６】
上記目的を達成するために本発明は、請求項１においては、電源用配線若しくは通信用配線等の配線が接続される電子機器において、
当該電子機器の筐体の外部面に、上記配線を伝導するノイズを低減するためのノイズ低減部材を取り付けたことを特徴とする電子機器として構成している。
【０００７】
請求項２においては、前記ノイズ低減部材を、前記筐体外部面の配線の接続口近傍に取り付けてなる電子機器として構成している。
【０００８】
請求項３においては、前記ノイズ低減部材は、その本体を貫通する中空部を有してなる電子機器として構成している。
【０００９】
請求項４においては、前記ノイズ低減部材の本体は、分割されてなり、一方を他方に対して開閉自在に構成してなる電子機器として構成している。
【００１０】
請求項５においては、前記ノイズ低減部材の本体は、分割されてなり、一方を他方に対して着脱自在に構成してなる電子機器として構成している。
【００１１】
【発明の実施の形態】
以下、添付図面を参照しながら、本発明の実施の形態について説明し、本発明の理解に供する。尚、以下の実施の形態は、本発明を具体化した一例であって、本発明の技術的範囲を限定する性格のものではない。
図１は本発明の実施の形態に係る電子機器１０の筐体の周囲部を構成する外部面の一例を示した概観斜視図、図２はフェライトコア１の断面図である。
【００１２】
図１を用いて、本発明の実施の形態に係る電子機器１０の筐体の外部面にノイズ低減部材を設けた場合の一例について説明する。
このノイズ低減部材は、外部配線内を伝導するノイズを低減するためのものである。配線とは、電子機器１０と他の電子機器との間に接続され、両機器の間でデータ通信を行うための通信ケーブル、若しくは、電子機器１０と電源コンセントとの間に接続され、電源コンセントから電子機器１０に電力を供給するための電源ケーブルである。
この電子機器１０の具体例としては、パーソナルコンピュータ（以下、「ＰＣ」とする）、ファクシミリ（以下、「ＦＡＸ」とする）、電話、画像処理装置（デジタル複合機、コピー機、スキャナ、プリンタ等）、モニター等がある。
図１に示すように、電子機器１０の筐体の外部面には上記ノイズ低減部材の一例であるフェライトコア１が取り付けられている。
このフェライトコア１の内部は、図１に示すように、該フェライトコア１を貫通する中空部８を有しており、該中空部８に配線１００が通されている。
更に、該フェライトコア１は、上記筐体の外部面に設けられる配線１００の接続口１１の近傍に設けられている。
この「接続口１１の近傍」の一例としては、図１に示すように、接続口１１から外部に出た配線１００が下方へ約９０度折り曲げられた後に筐体の外部面に沿って下方へ伸びている場合に、該配線１００が折り曲げられた後に下方へ向いた部位のことを指している。（即ち、図１において、フェライトコア１が設けられている位置のことである。）
勿論、上記下方の場合に限らず、接続口１１から外部に出た配線１００を約９０度折り曲げたときの縁となる部位から０．０１〜０．１［ｍ］（即ち、数センチ程度）の範囲を接続口１１の近傍としても良い。
【００１３】
次に、フェライトコア１について図２を用いて詳しく説明する。
図２は、図１において、フェライトコア１及び電子機器１０を矢印Ａ方向（即ち、上部側）より見た断面図であるが、図を見易くするために接続口１１及び配線１００の記載を省略している。
フェライトコア１は、図２に示すように、フェライトコア１において実際に配線のインピーダンスを変化させてノイズを低減するための磁性体である２つのフェライトコア部２ａ、２ｂと、該フェライトコア部２ａ、２ｂを保護収納するための２つのケース３ａ、３ｂとに大別できる。
つまり、フェライトコア１の外観は、ケース３ａ、３ｂの２つに分割されているように見えることになる。
上記ケース３ａ、３ｂの形状の大略は略直方体形状であって、別例としては円筒形状であっても良い。
更に、上記ケース３ａ、３ｂは、その各々を互いに向かい合わせて連結した場合に、内部に配線１００を通すための中空部８を形成するように、各々半円状の溝３０ａ、３０ｂが形成されている。
更に、該溝３０ａ、３０ｂの内部側には、各々上記溝３０ａ、３０ｂの形状に沿った半円形状の溝２０ａ、２０ｂを有するフェライトコア部２ａ、２ｂが設けられている。したがって、フェライトコア部２ａ、２ｂは外部に露出することがないので保護される。
勿論、特にフェライトコア部２ａ、２ｂを保護する必要がない場合は、上記溝３０ａ、３０ｂを省略して、単にケース３ａ、３ｂにフェライトコア部２ａ、２ｂを取り付けた構造でもあっても良い。
【００１４】
ケース３ａ、３ｂのうち何れか一方は、電子機器１０の外部面に設けられるものであっても良い。
例えば、図２に示す例の場合、ケース３ｂの一面が電子機器１０の筐体の外部面に設けられている。
これは、例えば、電子機器１０の筐体をポリエチレン、ポリプロピレン、プラスチック等の樹脂材料で成形する際に、ケース３ｂも含めて成形することによって、ケース３ｂと電子機器１０の筐体の外部面とが一体に形成することが容易に可能となる。
また、他の例としては、上記電子機器１０の筐体が金属等で形成される場合は、ケース３ｂも金属で形成し、互いの接着面を溶接する等によって一体に設けることが可能となる。
更に、他の例としては、電子機器１０の筐体が金属等で形成され、且つケース３ｂが上記樹脂材料で形成された場合には、ケース３ｂを上記電子機器１０の筐体に接着材等を用いて接着させることによって一体化させても良い。
このように構成することによって、電子機器１０を利用する上で最も効率良くノイズを低減できる位置にフェライトコア１を電子機器１０の筐体に固定することが可能となり、しかも、配線１００の経路を最適に定めて固定することも可能となる。
したがって、従来と比較して、配線１００に混入したノイズを効率良く低減させることが可能となると共に、ノイズが混入しにくい経路で配線１００を布設することが可能となって、その布設も容易に行えるようになる。
【００１５】
次に、２つに分割されているケース３ａ、３ｂを互いに揺動自在に連結するために、ヒンジ構造を有するヒンジ部材７ａとヒンジ部材７ｂとが一対となるようにケース３ａ、３ｂの外部面に設けても良い。
これによって、ケース３ａ、３ｂは、ヒンジ部材７ａ、７ｂを揺動支点として開閉自在となる。
上記ヒンジ部材７ａ、７ｂが設けられる外部面とは対向する外部面側には、留め部材５、６が各々設けられている。
例えば、ケース３ａ側には、バー状の留め部材５が外部側（向き合うケース３ｂ側）に突出するように設けられており、更に、外部側に突出した突出部位には孔５ｅが設けられている。
また、上記留め部材５は、何も外力が無ければ、図２に示す点線５０のように棒状になるが、実線で示した留め部材５のように、ユーザによって軽く撓らせることもできる可撓性の材料より成っても良い。
このような留め部材５の材質の具体例としては、ポリエチレン、ポリプロピレン、プラスチック等の樹脂材料より成ることが望ましい。
【００１６】
他方、ケース３ｂ側には、上記留め部材５に設けられる孔５ｅと係合する形状を成す被留め部材６が設けられている。
即ち、被留め部材６に留め部材５の孔５ｅが係合した状態の具体例を示しているのが点線５０である。
このように構成されているので、互いに分離されているケース３ａ、３ｂは、その各々に設けられる上記ヒンジ部材７ａ、７ｂを揺動支点として開閉自在となり、しかも、各々に設けられる留め部材５と被留め部材６とによってケース３ａ、３ｂを互いに向き合わせた状態（閉状態）で固定することも可能となる。
【００１７】
このようにフェライトコア１が構成されているので、上記留め部材５と被留め部材６との係合を解くことによって、電子機器１０の筐体の外部面に一体に設けられるケース３ｂに対してケース３ａを開いて、配線１１０を溝３０ａ、３０ｂより成る中空部８に収めて、再び留め部材５と被留め部材６とを係合させることによって、フェライトコア１が配線１００を固定することが可能となるので、配線１００を筐体に沿って下方へ導くことが可能となる。
したがって、ユーザは、容易に配線１００の経路を定めてフェライトコア１で容易に固定することが可能となり、配線１００の布設作業が軽減されると共に、その見栄えも良くなる。
また、ケース３ａ、３ｂに上記ヒンジ部材７ａ、７ｂを設けずに、該ヒンジ部材７ａ、７ｂが設けられる位置に可塑性の高い材料で直接連結する構造であっても良い。
【００１８】
【発明の効果】
本発明は、以上のように構成したので、以下に示すような効果を奏する。
【００１９】
請求項１においては、電源用配線若しくは通信用配線等の配線が接続される電子機器において、
当該電子機器の筐体の外部面に、上記配線を伝導するノイズを低減するためのノイズ低減部材を取り付けたことを特徴とする電子機器として構成している。
このように構成することによって、電子機器を利用する上で最も効率良くノイズを低減できる位置にノイズ低減部材を電子機器の筐体に固定することが可能となり、しかも、配線の経路を最適に定めて固定することも可能となる。
更に、従来と比較して、配線に混入したノイズを効率良く低減させることが可能となると共に、ノイズが混入しにくい経路で配線を布設することが可能となり、その布設も容易に行えるようになる。
【００２０】
請求項２においては、前記ノイズ低減部材を、前記筐体外部面の配線の接続口近傍に取り付けてなる電子機器として構成している。
このように構成することによって、配線を伝導して電子機器に流入するノイズを低減することが可能となると共に、逆に電子機器側から配線側に流出するノイズを低減することが可能となる。
【００２１】
請求項３においては、前記ノイズ低減部材は、その本体を貫通する中空部を有してなる電子機器として構成している。
このように構成することによって、該中空部で配線を通すことが可能となって、配線を伝導するノイズをノイズ低減部材で低減させることが可能となる。
【００２２】
請求項４においては、前記ノイズ低減部材の本体は、分割されてなり、一方を他方に対して開閉自在に構成してなる電子機器として構成している。
このようにノイズ低減部材が分割されているので、ユーザは、容易に配線の経路を定めてノイズ低減部材で容易に固定することが可能となり、配線の布設作業が軽減されると共に、その見栄えも良くなる。
【００２３】
請求項５においては、前記ノイズ低減部材の本体は、分割されてなり、一方を他方に対して着脱自在に構成してなる電子機器として構成している。
このようにノイズ低減部材が分割されているので、ユーザは、容易に配線の経路を定めてノイズ低減部材で容易に固定することが可能となり、配線の布設作業が軽減されると共に、その見栄えも良くなる。
【図面の簡単な説明】
【図１】本発明の実施の形態に係る電子機器１０の筐体の周囲部を構成する外部面の一例を示した概観斜視図。
【図２】フェライトコア１の断面図。
【符号の説明】
１  フェライトコア
２ａ、２ｂ  フェライトコア部
３ａ、３ｂ  ケース
７ａ、７ｂ  ヒンジ部材
８  中空部
１０  電子機器
１１  接続口
２０ａ、２０ｂ  溝（フェライトコア部２ａ、２ｂ）
３０ａ、３０ｂ  溝（ケース３ａ、３ｂ）
【図１】
2004288919.tif 000003
【図２】
2004288919.tif 000004